(57)【特許請求の範囲】
【請求項１】
原稿を介してこの原稿に密着する感光紙を露光することで前記原稿の画像を前記感熱紙に転写し、転写後の前記感熱紙を加熱された現像ドラムに密着させて転写画像を現像するようにした複写機において、
各部を収納する本体ケースにおいて前記現像ドラムの近傍で開閉自在に設けられたカバーと、
前記現像ドラムに前記感熱紙を密着させるための柔軟なシート状部材を保持し、回動自在に支持されることで前記現像ドラムの周囲に柔軟なシート部材を接離自在に圧接させるガイドユニットと、
前記シート状部材が前記現像ドラムに圧接する正規位置まで回動した前記ガイドユニットをこのガイドユニットの回動動作に伴いクランプするロック機構と、
前記カバーの内側に設けられ、このカバーが閉じられた状態で前記ガイドユニットを前記シート状部材が正規位置に位置するまで押圧する押圧部と、
を具備することを特徴とする複写機。
【請求項２】
押圧部は、カバーの内側に突出形成されていることを特徴とする請求項１記載の複写機。
【請求項３】
押圧部は、ロック機構に対応する位置に設けられていることを特徴とする請求項２記載の複写機。
【発明の詳細な説明】
【０００１】
【発明の属する技術分野】
本発明は、ジアゾ型の複写機に関する。
【０００２】
【従来の技術】
ジアゾ複写機（ｄｉａｚｏ  ｃｏｐｙｉｎｇ  ｍａｃｈｉｎｅ  ）は、ジアゾ化合物の光分解特性を応用し複写動作を行なっている。つまり、ジアゾ化合物を塗布した感光紙をトレーシングペーパ等の半透明な原稿に密着させ、このような感光紙を原稿を介して露光することで感光紙に原稿画像を転写し、原稿画像転写後の感光紙を加熱現像することで転写画像を発色させている。したがって、ジアゾ複写機においては、用紙案内経路中に露光部と現像部とが設けられ、露光部までは感光紙を原稿と共に搬送し、露光後は感光紙のみを現像部に搬送するような構造となっている。
【０００３】
ここで、現像部に着目すると、現像部としては、ヒータを内蔵する回転自在の現像ドラムの周囲に柔軟なシート状部材を圧接させたような構造のものがある。このような構造のものでは、現像ドラムに感光紙を案内し、この感光紙をシート状部材によって現像ドラムに密着させている。これにより、感光紙がヒータに加熱された現像ドラムに加熱され、転写紙に転写された画像が発色する。
【０００４】
【発明が解決しようとする課題】
現像ドラムの周囲に柔軟なシート状部材を圧接させた構造の現像部では、現像ドラム周辺の用紙ジャムを解除するために、現像ドラムに対してシート状部材が接離自在としなければならない。そこで、このような構造の現像部では、現像ドラムに対する接離方向に回動自在であるガイドユニットにシート状部材を保持させ、シート状部材が現像ドラムに圧接する正規位置まで回動したガイドユニットをロック機構でロックするようにした構造のものがある。
【０００５】
ところが、このような構造の現像部では、用紙ジャム処理後等にガイドユニットをロックし忘れることがあり、このような場合、そのまま複写動作を実行させると再度用紙ジャムが生じてしまい、不都合である。
【０００６】
本発明の目的は、柔軟なシート状部材を現像ドラムに圧接するためのガイドユニットをロックし忘れた場合であっても、複写動作実行時には必ずガイドユニットをロック状態にすることができる複写機を得ることである。
【０００７】
本発明の別の目的は、本体ケースに無用な振動を生じさせない複写機を得ることである。
【０００８】
本発明の更に別の目的は、ガイドユニットのロック状態を確実にすることである。
【０００９】
【課題を解決するための手段】
請求項１記載の発明の複写機は、原稿を介してこの原稿に密着する感光紙を露光することで原稿の画像を感熱紙に転写し、転写後の感熱紙を加熱された現像ドラムに密着させて転写画像を現像するようにした複写機において、各部を収納する本体ケースにおいて現像ドラムの近傍で開閉自在に設けられたカバーと、現像ドラムに感熱紙を密着させるための柔軟なシート状部材を保持し、回動自在に支持されることで現像ドラムの周囲に柔軟なシート部材を接離自在に圧接させるガイドユニットと、シート状部材が現像ドラムに圧接する正規位置まで回動したガイドユニットをこのガイドユニットの回動動作に伴いクランプするロック機構と、カバーの内側に設けられ、このカバーが閉じられた状態でガイドユニットをシート状部材が正規位置に位置するまで押圧する押圧部とを具備する。したがって、カバーを閉じると、シート状部材が正規位置に位置するまでガイドユニットが押圧部に押圧され、ガイドユニットをロックし忘れた場合であっても、複写動作実行時には必ずガイドユニットがロック状態に維持される。
【００１０】
請求項２記載の発明は、請求項１記載の複写機において、押圧部は、カバーの内側に突出形成されている。したがって、カバーとガイドユニットとの接触面積が少なく、現像ドラムの回転により生ずる振動がカバーに伝わりにくい。
【００１１】
請求項３記載の発明は、請求項２記載の複写機において、押圧部は、ロック機構に対応する位置に設けられている。したがって、ガイドユニットは、ロック機構にクランプされる位置まで押圧部によって確実に押圧され、ガイドユニットのロック状態が確実となる。
【００１２】
【発明の実施の形態】
本発明の実施の一形態を図面に基づいて説明する。本実施の形態は、ジアゾ型の複写機である。
【００１３】
図１は全体の斜視図である。本実施の形態の複写機１は、本体ケース２の上方にカバーとしての上カバー３を開閉自在に備える。そして、本体ケース２の前面下方には略水平状態に維持された給紙トレイ４が設けられ、本体ケース２の給紙トレイ４に連絡する位置には図示しない感光紙を同様に図示しない原稿と共に給紙するための給紙口５と、原稿を排紙するための原稿排出口６とが設けられている。また、本体ケース２の上面には、感光紙を排紙するための二つの感光紙排出口７ａ，７ｂが設けられ、一方の感光紙排出口７ａには、排紙された感光紙を支持するための支持具８が設けられている。さらに、本体ケース２の上面一側方には、表示部も含む操作パネル９が設けられている。
【００１４】
図２ないし図４は縦断側面図である。本体ケース２の内部には、用紙案内経路１０に沿って、露光部１１と現像部１２とが順に配設されている。露光部１１は、２本の露光管１３を内蔵する回転自在のシリンダガラス１４と、このシリンダガラス１４の周囲に重ね合わされた感光紙と原稿とを密着案内するベルト１５とによって構成されている。このベルト１５は、複数個のローラ１６の間に張設された状態でシリンダガラス１４の一部に巻き付けられ、ローラ１６の回転により回動駆動される。用紙案内経路１０は、重ね合わされて給紙口５より給紙された感光紙と原稿とを、まず、そのような露光部１１に案内搬送する構造である。そして、用紙案内経路１０中、露光部１１を通過した感光紙と原稿と分離するための図示しない分離機構が設けられ、この分離機構によって感光紙と原稿とが分離され、分離後の原稿は原稿排出口６に向けて案内搬送され、分離後の感光紙は現像部１２に向けて搬送されるように各部が構成されている。
【００１５】
分離後の感光紙が搬送された現像部１２は、ハロゲンヒータ１７を内蔵する回転自在の現像ドラム１８と、この現像ドラム１８の周囲に感光紙を密着案内するガイド部１９とによって構成されている。また、ガイド部１９は、第１ローラ２０ａ、第２ローラ２０ｂ及び第３ローラ２０ｃと、第１ローラ２０ａと第２ローラ２０ｂとの間に配置された第１ガイドユニット２１ａ及び第２ローラ２０ｂと第３ローラ２０ｃとの間に配置された第２ガイドユニット２１ｂとによって構成されている。第１，２，３ローラ２０ａ，２０ｂ，２０ｃは、現像ドラム１８に圧接するローラ状部材である。第１，第２ガイドユニット２１ａ，２１ｂは、現像ドラム１８に対して接離するように支軸２２に軸支されたフレーム２３に柔軟なシート状部材２４が取り付けられて形成されている。そして、第１，第２ガイドユニット２１ａ，２１ｂは、テフロンシートからなるシート状部材２４が現像ドラム１８に密着するまで回動した位置でロック機構２５によってロックされている。このようなロック機構２５は、本体ケース２の図示しない両フレームより突出形成された一対二組のピン２６と、これらのピン２６をクランプする第１，第２ガイドユニット２１ａ，２１ｂに回動自在に設けられたクランプ爪２７とによって構成されている。クランプ爪２７は、第１，第２ガイドユニット２１ａ，２１ｂに立設された支軸２８に回動自在に軸支されて図示しない付勢部材によってピン２６をクランプする方向に付勢されており、第１，第２ガイドユニット２１ａ，２１ｂが現像ドラム１８に近接するに従いピン２６に乗り上げる傾斜部２９を備える（図３参照）。そして、クランプ爪２７はロック解除レバー３０と一体形成されており、このロック解除レバー３０の操作により、付勢方向と反対方向に回動してピン２６から外れるように構成されている。
【００１６】
図５は上カバー３の斜視図である。上カバー３には、その内面両側方に一対二組の押圧部３１が突出形成されている。これらの押圧部３１は、図２に図示するように、上カバー３が閉じられた状態で、シート状部材２４が現像ドラム１８に密着する正規位置に位置するまで第１，第２ガイドユニット２１ａ，２１ｂを押圧する位置に位置付けられている。また、各押圧部３１は、各ロック機構２５に対応する位置に位置付けられている。
【００１７】
なお、用紙案内経路１０は、現像部１２で現像された感光紙を何れかの感光紙排出口７ａ，７ｂに向けて搬送する構造であり、一方の感光紙排出口７ａには、現像部１２から送られた感光紙を排紙するための排紙ローラ３２が設けられている。
【００１８】
このような構成において、複写動作を実行させるには、感光紙を原稿に重ね合わせて給紙口５より給紙する。この場合、感光紙としてはジアゾ化合物を塗布したものを用い、原稿としてはトレーシングペーパ等の半透明なものを用いる。給紙口５に給紙された感光紙及び原稿は、用紙案内経路１０を案内されて露光部１１に至り、露光部１１でベルト１５によってシリンダガラス１４に巻回され、シリンダガラス１４の回転動作に従い搬送される。この際、シリンダガラス１４には原稿を介して感光紙が密着することになる。これにより、感光紙はシリンダガラス１４が内蔵する露光管１３からの照射光によって露光され、感光紙に原稿の画像が転写される。こうして露光部１１を経た感光紙と原稿とは、図示しない分離機構によって分離され、原稿はそのまま原稿排出口６より排紙される。一方、感光紙は用紙案内経路１０によって現像部１２に案内される。この現像部１２では、第１ローラ２０ａ、第１ガイドユニット２１ａ、第２ローラ２０ｂ、第２ガイドユニット２１ｂ、及び第３ローラ２０ｃによって、感光紙は現像ドラム１８に巻回され、現像ドラム１８の回転に従い搬送される。この際、感光紙は、現像ドラム１８に圧接するシート状部材２４によってハロゲンヒータ１７に加熱された現像ドラム１８に密着するため、その熱を受けて現像される。つまり、転写画像が発色する。これにより、原稿画像の複写がなされる。そして、現像後の感光紙は、用紙案内経路１０に沿って何れかの感光紙排出口７ａ，７ｂに向けて選択的に搬送され、一方の感光紙排出口７ａ又は７ｂに排紙される。
【００１９】
ここで、現像ドラム１８の周辺では、加熱された現像ドラム１８に感光紙が付着しすぎたり、上カールしたりして用紙ジャムが発生することがある。そこで、この場合には、上カバー３を開放し、用紙ジャム処理をすることになる。図３はロック機構２５による第２ガイドユニット２１ｂのクランプを解除した状態の縦断側面図、図４は用紙ジャム処理のために第２ガイドユニット２１ｂを回動開放させた状態を示す縦断側面図である。つまり、ジャム処理を行なうためには、上カバー３を開放した後、所望のガイドユニット２１におけるロック解除レバー３０を操作してピン２６に対するクランプ爪２７のクランプを解除し、ガイドユニット２１を現像ドラム１８から離反する方向に回動させて現像ドラム１８を露出させる。これにより、用紙ジャム処理が可能となる。そして、装置を再セットする場合には、ピン２６にクランプ爪２７がクランプするまでガイドユニット２１を現像ドラム１８に近接する方向に回動させ、上カバー３を閉じる。これにより、シート状部材２４が現像ドラム１８に圧接した状態で装置が再セットされ、複写動作可能状態となる。
【００２０】
一方、用紙ジャム処理後、装置を再セットする際、ガイドユニット２１をクランプし忘れることがある。本実施の形態の複写機１では、このような場合であっても、上カバー３を閉じるだけで、ガイドユニット２１を確実にクランプすることが可能である。つまり、ガイドユニット２１が図３に示すような状態、より詳しくは、ピン２６にクランプ爪２７の傾斜部２９が載っているような状態であれば、上カバー３を閉じることにより、その内面より突出形成された押圧部３１がガイドユニット２１のフレーム２３を押圧し、クランプ爪２７をピン２６にクランプさせる。これにより、上カバー３を閉じれば、図２に示すように、二つのガイドユニット２１ａ，２１ｂは正しくクランプされ、シート状部材２４は現像ドラム１８に圧接する正規位置に位置付けられる。これにより、ガイドユニット２１が正しくクランプされないことによる用紙ジャムの発生等の不都合が確実に防止される。しかも、押圧部３１は上カバー３の内側に突出形成されているので、上カバー３とガイドユニット２１との接触面積が少なく、現像ドラム１８の回転により生ずる振動が上カバー３に伝わりにくい。したがって、振動や騒音の発生が防止される。また、各押圧部３１は各ロック機構２５に対応する位置に配置されているので、ガイドユニット２１はロック機構２５にクランプされる位置まで確実に押圧される。したがって、ガイドユニット２１のロック状態が確実になる。
【００２１】
なお、実施に当たっては、押圧部３１は上カバー３の内面から突出形成されていなくても良い。
【００２２】
【発明の効果】
請求項１記載の発明は、カバーが閉じられた状態で、シート状部材が現像ドラムに圧接する正規位置に位置するまでガイドユニットを押圧する押圧部をカバーの内側に設けたので、カバーを閉じることでシート状部材が正規位置に位置するまでガイドユニットを押圧部によって押圧することができ、したがって、ガイドユニットをロックし忘れた場合であっても、複写動作実行時には必ずガイドユニットをロック状態に維持することができる。したがって、ガイドユニットをロックし忘れた場合に複写動作を実行させた場合の用紙ジャムを確実に防止することができる。
【００２３】
請求項２記載の発明は、請求項１記載の複写機において、押圧部をカバーの内側に突出形成したので、カバーとガイドユニットとの接触面積を少なくすることができ、したがって、現像ドラムの回転により生ずる振動をカバーに伝わりにくくして振動や騒音の発生を防止することができる。
【００２４】
請求項３記載の発明は、請求項２記載の複写機において、押圧部をロック機構に対応する位置に設けたので、ガイドユニットをロック機構にクランプされる位置まで押圧部によって確実に押圧することができ、したがって、ガイドユニットのロック状態を確実にすることができる。
【図面の簡単な説明】
【図１】本発明の実施の一形態を示す全体の斜視図である。
【図２】その縦断側面図である。
【図３】ロック機構によるガイドユニットのクランプを解除した状態の縦断側面図である。
【図４】用紙ジャム処理のためにガイドユニットを回動させた状態を示す縦断側面図である。
【図５】カバーの斜視図である。
【符号の説明】
２        本体ケース
４        カバー（上カバー）
１８      現像ドラム
２４      シート状部材
２１      ガイドユニット
２５      ロック機構
３１      押圧部
【図１】
0003579579.tif 000002
【図２】
0003579579.tif 000003
【図３】
0003579579.tif 000004
【図４】
0003579579.tif 000005
【図５】
0003579579.tif 000006